(57)【要約】【課題】従来のボタン／ダイヤル操作による測距点選択手段に変わる操作手段を提供し、細かい操作が苦手な人や状況（手袋している、水中）でも素早く簡単に意図した位置に測距点位置を移動することができる撮像装置を提供すること。【解決手段】本体に対して回動可能な表示部材の回動位置に合わせて、測距点を移動させる。【選択図】図１
2017223767.tif 000002
【特許請求の範囲】
【請求項１】
撮像手段（８）と、被写体測距手段（５、８ａ）と、本体（１）に対して回動可能な表示部材（９）と、表示部材回動角検知手段（１０ｂ、１０ｄ）とを有した複数の測距点を選択可能な撮像装置に於いて、回動可能な表示部材（９）の回転角度に合わせて、測距点位置を変更させることを特徴とする撮像装置。
【請求項２】
回転操作部材（１４）と、方向操作部材（１５）と、前記表示部材（９）表示部表面に接触操作可能なタッチセンサを有するタッチ操作部材（１６）と、撮影者の意図した測距点の選択を開始するための測距点選択開始指示手段（１１）とをさらに有した撮像装置に於いて、回転操作部材（１４）もしくは方向操作部材（１５）もしくは表示部材表面に設けられたタッチ操作部材（１６）にて測距点選択を行う第一の測距点選択モードと、表示部材（９）の回動状態に応じて測距点位置を移動させる第二の測距点選択モードとを切り替える測距点選択モード切替手段（１３）を有し、測距点選択モード切替手段（１３）により、前記第二の測距点選択モードに設定された状態に於いては、測距点選択開始指示手段（１１）が押下され測距点選択状態に移行した際に、タッチ操作を無効にすることを特徴とする請求項１に記載の撮像装置。
【請求項３】
表示部材（９）は二軸で回動可能な構成（１０）を有し、光軸に対して直交し撮像装置の縦方向に平行な回転軸を有する回動方向（＝開閉方向）の回転位置に対応して、撮像領域内に配された測距点の水平方向の移動（Ｈ）を、光軸に対して直交し撮像装置の横方向に平行な回転軸を有する回動方向（＝回転方向）の回転位置に対応して、撮像領域内に配された測距点の垂直方向の移動（Ｖ）を対応させることを特徴とする請求項１又は請求項２に記載の撮像装置。
【請求項４】
測距点選択状態に移行した際の表示部材の回転位置に応じて測距点スタート位置を変更させることを特徴とする請求項１乃至請求項３の何れか一項に記載の撮像装置。
【請求項５】
撮影構図の確認に於いて、被写体の光学像もしくは、撮像手段（８）で取得した被写体の電子映像をファインダ内表示ユニットに表示させて視認可能なファインダ部を有し、ファインダ部を用いて構図を確認するファインダ撮影状態と、表示部材（９）に被写体の電子映像を表示して構図の確認を行うライブビュー撮像状態とを切り替え可能な撮影状態切り替え手段（１２）を有し、表示部材（９）の回動可能範囲（θ−ａ、θ−ｃ）より狭い範囲に於いて、測距点選択追従回動範囲（θ−ｂ、θ−ｄ、θ−ｅ、θ−ｆ）を設定し、さらにファインダ撮影状態と、ライブビュー撮影状態で測距点選択追従回動範囲を異ならせることを特徴とする請求項１乃至請求項４の何れか一項に記載の撮像装置。
【請求項６】
表示部材（９）の回動に合わせた測距点の切り替え角度（α、β）は、測距点選択追従回動範囲（θ−ｂ、θ−ｄ、θ−ｅ、θ−ｆ）を測距点数で割った角度となっていることを特徴とする請求項５に記載の撮像装置。
【請求項７】
表示部材（９）の回動に合わせた測距点の切り替え角度（α、β）は、水平方向の測距点選択追従回動範囲（θ−ｂ、θ−ｅ）と垂直方向の測距点選択追従回動範囲（θ−ｄ、θ−ｆ）が等しく、且つ水平方向の測距点数と垂直方向の測距点数が等しいことを特徴とする請求項６に記載の撮像装置。
【請求項８】
表示部材（９）の回動に合わせた測距点の切り替え角度（α、β）は、水平方向の測距点選択追従回動範囲（θ−ｂ、θ−ｅ）を水平方向の測距点数で割った角度と等しくなるように垂直方向の測距点選択追従回動範囲（θ−ｄ、θ−ｆ）を変更することを特徴とする請求項６に記載の撮像装置。
【発明の詳細な説明】
【技術分野】
【０００１】
本発明は、撮像素子を有する電子カメラに関し、特に効率的な測距点選択方法に関する。
【背景技術】
【０００２】
従来、デジタルカメラの自動被写体測距の方法（＝ＡＦ）においては、大別して２つの方式が用いられている。一つは撮像面全体に渡って被写体測距が可能な方式で、具体的にはコントラストＡＦ方式や先行文献１に記載の撮像面位相差ＡＦ方式がある。他の一つは、事前に設定されたエリアでのみ被写体測距が可能な方式で、具体的には撮像用のセンサとは別に被写体測距専用のセンサを用いた位相差ＡＦ方式である。
【０００３】
コントラストＡＦ方式は、レンズを通した被写体像を光電変換可能な撮像素子により画像データとして逐次取得し、コントラストが最大となるようレンズを駆動することによって被写体に焦点を合わせる方式である。撮像面位相差ＡＦ方式は、撮像素子に位相差測距専用のセンサを設け光学的に、焦点ズレ量を計測する方式であり特許文献１で開示されている技術がある。
【０００４】
これらの撮像面全体に渡って被写体測距可能なＡＦ方式により近年測距点の多点化が進んでいる。これらのカメラに於いて測距点の選択は、カメラ背面に設けられた表示画面全面に設けられたタッチセンサ等を使用し、撮影者が焦点を合わせたい被写体を画面上で直接触れることで、測距点の選択を行うという選択方法が一般的に用いられている。
【０００５】
一方、専用センサを用いた位相差ＡＦ方式は、レンズを通した被写体像をセパレータレンズによって２つに分割し、それぞれの光学像を測距センサに投影し、結像した２つの画像の間隔からピント方向とデフォーカス量を算出し、レンズ駆動を行い被写体に焦点を合わせる方式である。焦点を合わせたい被写体の選択方法としては、被写体測距可能な範囲として、専用センサに対応した位置に焦点選択枠がファインダ上に複数表示されており、これらの中から任意の点をダイヤルや複数の方向情報を持った操作部材等を操作し選択する構成が多く用いられている。
【０００６】
上記専用センサを用いたＡＦ方式において、より効率的に測距枠選択を行う方法として特許文献２の技術が開示されている。測距点選択において、複数の方向情報を持った操作部材の各方向に対して、測距枠を１対１で対応させ、測距点を直接選択する絶対位置選択手段と、現在の選択測距枠に対して、操作部材の入力に応じて相対的に位置を移動する相対位置選択手段を切り替える方法が特許文献２で開示されている。
【先行技術文献】
【特許文献】
【０００７】
【特許文献１】特願２００８−１７７０００号公報
【特許文献２】特開２００６−３４９８３２号公報
【発明の概要】
【発明が解決しようとする課題】
【０００８】
しかしながら、上述の特許文献２に開示された従来技術では、測距枠の数と範囲が限定的な場合においては、素早く任意の枠を選択することが可能であるが、撮像面全体にわたって、被写体測距が可能なカメラにおいては、ダイヤルや複数の方向情報を持った操作部材で測距枠を移動させようとした場合に、一度の操作で所定量の枠の移動しか行うことができず、意図した被写体に測距枠を移動するために数ステップの操作が必要となる。結果、操作性が煩雑になるばかりでなく、操作に時間が掛かるため、シャッタチャンスを逃してしまうという問題があった。
【０００９】
また、ダイヤル操作や方向情報を持った操作部材の操作時にカメラの安定したホールド位置から指又は手の位置を移動させて操作する必要があり、撮影時の手振れや機材の落下等の懸念が発生する問題があった。
【００１０】
また、前記説明したようにタッチセンサによる測距点選択を行う方式では、ファインダ使用時に於いては、カメラ背面と撮影者の顔が近づくため、使用することができないという問題がある。
【００１１】
また、ファインダを使用せず、撮像素子で取り込んだ画像をカメラ背面の表示部材に表示させ被写体をタッチして測距点を選択する操作を行おうとした際に、手袋等を着用していると静電容量式タッチパネルが反応せず操作出来ないという問題があった。
【００１２】
また、水中撮影に於いても同様に、静電容量式のタッチパネルではタッチに反応せず操作せきないという問題があった。
【００１３】
そこで、本発明の目的は、撮像範囲の広範囲にわたって選択可能な測距点を有した撮像装置に於いて、任意の測距点を素早く簡単に選択可能で且つ、測距点選択操作時もカメラを安定して保持可能で、手袋の着用時でも、水中撮影時でも操作可能な測距点選択手段を有した撮像装置を提供することにある。
【課題を解決するための手段】
【００１４】
上記の目的を達成するために、本発明に係る撮像装置は、
撮像手段（８）と、被写体測距手段（５、８ａ）と、本体（１）に対して回動可能な表示部材（９）と、表示部材回動角検知手段（１０ｂ、１０ｄ）と、撮影者の意図した任意の位置に焦点を合わせるよう測距点の移動を開始するための測距点選択開始指示手段（１１）とを有した撮像装置に於いて、
測距点選択開始指示手段（１１）が押下され測距点選択状態に移行した際に、回動可能な表示部材（９）の回転角度に合わせて、測距点位置を変更させることを特徴とする。
【発明の効果】
【００１５】
本発明に係る撮像装置によれば、従来のボタン／ダイヤル操作による測距点選択手段に変わる操作手段を提供し、細かい操作が苦手な人や状況（手袋している、水中）でも素早く簡単に意図した位置に測距点位置を移動することができる。
【図面の簡単な説明】
【００１６】
【図１】（ａ）は本発明の実施例である撮像装置の背面方向斜視図、（ｂ）は本発明の実施例である撮像装置の表示部材の回転に合わせた測距点移動方向指示図
【図２】本発明の実施例である撮像装置のシステム構成図。
【図３】（ａ）は本発明の実施例である撮像装置の前面方向全体斜視図、（ｂ）は本発明の実施例である撮像装置の背面方向全体斜視図
【図４】（ａ）は本発明の実施例である撮像装置の表示部材およびヒンジ部材の斜視図、（ｂ）は図４（ａ）の詳細部Ａにおける分解斜視図
【図５】（ａ）は本発明の実施例である撮像装置の測距点選択から撮影に於ける全体制フロー、（ｂ）は本発明の実施例である撮像装置のファインダ撮影状態に於けるサブプロセス制御フロー図、（ｃ）は本発明の実施例である撮像装置のライブビュー撮影状態に於けるサブプロセス制御フロー図
【図６】（ａ）は本発明の実施例である撮像装置のファインダ撮影状態に於ける、回動可能範囲と測距点追従範囲指示上面方向図、（ｂ）は本発明の実施例である撮像装置のファインダ撮影状態に於ける、回動可能範囲と測距点追従範囲指示側面方向図、（ｃ）は本発明の実施例である撮像装置のライブビュー撮影状態に於ける、回動可能範囲と測距点追従範囲指示上面方向図、（ｄ）は本発明の実施例である撮像装置のライブビュー撮影状態に於ける、回動可能範囲と測距点追従範囲指示側面方向図
【図７】（ａ）は本発明の第一の実施例である撮像装置のファインダ撮影モードに於ける、表示部材回動角に対応した測距点位置切り替わり角度指示図、（ｂ）は本発明の第一の実施例である撮像装置のライブビュー撮影モードに於ける、表示部材回動角に対応した測距点位置切り替わり角度指示図、（ｃ）は本発明の第一の実施例である撮像装置のファインダ撮影モードに於ける、表示部材回動角に対応した測距点位置切り替わり角度表、（ｄ）は本発明の第一の実施例である撮像装置のライブビュー撮影モードに於ける、表示部材回動角に対応した測距点位置切り替わり角度表
【図８】（ａ）は本発明の実施例である撮像装置の表示部材回動角α＝１８０°β＝０°に於ける測距点選択時のスタート位置状態図、（ｂ）は本発明の実施例である撮像装置の表示部材回動角α＝１５０°β＝２０°に於ける測距点選択時のスタート位置状態図
【図９】（ａ）は本発明の第二の実施例である撮像装置のファインダ撮影モードに於ける、表示部材回動角に対応した測距点位置切り替わり角度指示図、（ｂ）は本発明の第二の実施例である撮像装置のライブビュー撮影モードに於ける、表示部材回動角に対応した測距点位置切り替わり角度指示図、（ｃ）は本発明の第三の実施例である撮像装置のファインダ撮影モードに於ける、表示部材回動角に対応した測距点位置切り替わり角度指示図、（ｄ）は本発明の第三の実施例である撮像装置のライブビュー撮影モードに於ける、表示部材回動角に対応した測距点位置切り替わり角度指示図
【発明を実施するための形態】
【００１７】
以下、本発明を実施するための形態について、図面を参照しながら説明する。
【実施例１】
【００１８】
以下、図１〜７を参照して、本発明の好ましい実施の形態について詳細に説明する。なお、図１〜７で共通する部分には同一の符号を付す。
【００１９】
図２は本実施形態における撮像装置のシステム構成図である。まず図２を用いて本実施形態における撮像装置のシステム構成を説明する。
【００２０】
カメラ本体１に内蔵されたマイクロコンピュータからなる中央処理装置（以下、「ＭＰＵ」と称する）１０１は、カメラの動作制御を司るものであり、各要素に対して様々な処理や指示を実行する。本体メモリ１０２には、各種カメラ設定値を記憶することができる。
【００２１】
ＭＰＵ１０１には、ミラー駆動回路１０３、スイッチセンス回路１０４、焦点検出回路１０５、映像信号処理回路１０９、が接続されている。これらの回路は、ＭＰＵ１０１の制御により動作するものである。ＭＰＵ１０１は、撮影レンズユニット２内のレンズ制御回路２０１とマウント接点１７を介して通信を行う。
【００２２】
マウント接点１７は、撮影レンズユニット２が接続されるとＭＰＵ１０１へ信号を送信する機能も有する。これにより、レンズ制御回路２０１は、ＭＰＵ１０１との間で通信を行い、レンズユニット２内の撮影レンズ２０２の駆動を行い被写体の焦点を合わせることができる。
【００２３】
メインミラー３は、図３に示す撮影光軸２ａに対して４５°の角度に保持された状態で、撮影レンズ２を通過する撮影光束をファインダユニット７へ導くと共に、その一部を透過させてサブミラー４へ導く。サブミラーで反射された撮影光束は位相差焦点検出手段５に導光され、位相差方式の焦点検出を行う。
【００２４】
前記焦点情報は、焦点検出回路１０５へ供給され、信号に基づいて焦点検出演算を行い、デフォーカス量及びデフォーカス方向を求め、これに基づいて、レンズ制御回路２０１を介して撮影レンズ２０２を合焦位置まで駆動する。
【００２５】
撮像ユニット８は、被写体像を光電変換する撮像素子を有し、ＣＣＤ型、ＣＭＯＳ型及びＣＩＤ型等様々な形態があり、いずれの形態の撮整像デバイスを採用してもよい。また撮像ユニット８は、撮像面上の任意の位置での被写体測光が可能な構成となっている。さらに撮像ユニット８内には、結像面近傍に配置された複数の位相差検出素子からなる撮像面位相差検出手段８ａ（特許文献１に記載の撮像面位相差技術）によって、位相差方式の焦点検出を行う。
【００２６】
前記焦点情報は、焦点検出回路１０５へ供給され、信号に基づいて焦点検出演算を行い、デフォーカス量及びデフォーカス方向を求め、これに基づいて、レンズ制御回路２０１を介して撮影レンズ２０２を合焦位置まで駆動する。また、被写体測距の別の方法として、撮像ユニット８で逐次取得した画像データを映像信号処理回路１０９で処理し、任意の点でのコントラスト比が最大となるようレンズを駆動するコントラストＡＦ方式としても良い（公知のコントラストＡＦ制御技術）。
【００２７】
ミラー駆動回路１０３は、例えばＤＣモータとギヤトレイン等によって構成され、メインミラー３を、ファインダにより被写体像を観察可能とする位置と、撮影光束から待避する位置とに駆動する。
【００２８】
ファインダユニット７は、メインミラー３により反射された撮影光束を正立正像に変換反射する。撮影者はファインダユニット７を介して被写体像を観察することができる。また、ファインダ内表示ユニット６によって、撮影条件表示や撮像ユニット８で取得した被写体像を表示させることができる。
【００２９】
クランプ／ＣＤＳ（相関二重サンプリング）回路１０６は、Ａ／Ｄ変換する前の基本的なアナログ処理を行うものであり、クランプレベルを変更することも可能である。
【００３０】
ＡＧＣ（自動利得調整装置）１０７は、Ａ／Ｄ変換する前の基本的なアナログ処理を行うものであり、ＡＧＣ基本レベルを変更することも可能である。Ａ／Ｄ変換器１０８は、撮像ユニット８のアナログ出力信号をデジタル信号に変換する。
【００３１】
映像信号処理回路１０９は、デジタル化された画像データに対してガンマ／ニー処理、フィルタ処理、ハードウエアによる画像処理全般を実行する。この映像信号処理回路１０９からのモニタ表示用の画像データは、表示装置駆動回路１１０を介して表示部材９に表示される。
【００３２】
スイッチセンス回路１０４は、各スイッチの操作状態に応じて入力信号をＭＰＵ１０１に送信する。表示部材回動検知手段１０ｂ、１０ｄは表示部材９のカメラ本体に対する回転角度を検知することができる。
【００３３】
測距点選択開始ボタン１１は押下の度に、測距点を撮影者による任意の位置に移動することができる状態と測距点位置を保持する状態とを遷移することができる。
【００３４】
測距点選択モード切り替えボタン１２は、押下の度に回転操作部材１４もしくは方向操作部材１５もしくはタッチ操作部材による測距点位置移動モード（＝以下操作部材移動モード）か、表示部材９の回動に合わせて測距点位置が移動するモード（＝以下表示部材移動モード）かを切り替えることができる。
【００３５】
撮影状態切り替えボタン１３は押下の度に、撮影状態を切り替えることができる。一つは撮影レンズ２からの被写体光学像をファインダユニット７で確認するもしくは、撮像ユニット８で取得した被写体の電子像をファインダ内表示ユニット６で確認する状態であるファインダ撮影状態。他の一つは、表示部材９で被写体電子像を確認するライブビュー撮影状態である。
【００３６】
回転操作部材１４は回転動作により操作され、決まった回転ピッチで状態遷移するスイッチを有している。
【００３７】
方向操作部材１５は、縦横斜めの８方向に入力可能なスイッチを有している。タッチ操作部材１６は、静電容量式もしくは感圧式のセンサを有しており、表示部材９全面に配され表示部材９の任意の位置を触ることで位置検出を行う機能を有している。
【００３８】
次に図３を用いて本実施形態における撮像装置の全体構成について説明する。
【００３９】
図３（ａ）は撮像装置の前面斜視図であり、図３（ｂ）は撮像装置の背面斜視図である。
【００４０】
カメラ本体１には、撮影レンズユニット２が不図示のレンズマウントによって接続されている。
【００４１】
１０はカメラ本体１と表示部材９を回転可能に保持するヒンジ部材である。ヒンジ部材１０の構成については、図４を用いて後述説明する。
【００４２】
カメラ本体１には種々の操作部材が配置されている。
【００４３】
１１は前記説明した測距点選択ボタンであり、１２は測距点モード切り換えボタンであり、１３は撮影状態切り替えボタンである。さらにカメラ上面部には光軸２ａに平行な回転軸を持つ回転操作部材１４が配されている。カメラ背面部には、縦横斜めの８方向に操作可能な方向操作部材１５、ファインダ部７が配されている。
【００４４】
次に図４を用いて本実施形態における表示部材９とヒンジ部材１０の構成について説明する。
【００４５】
図４（ａ）は表示部材９およびヒンジ部材の斜視図であり、図４（ｂ）は図４（ａ）の詳細部Ａにおける分解斜視図である。
【００４６】
表示部材９の表示部全面には前述のタッチ操作部材１６が配されている。
【００４７】
表示部材９をカメラ本体１に対して回動可能な状態で接続するヒンジ部材１０は、カメラ本体側固定部材１０ａと表示部材側固定部材１０ｂとから構成されている。
【００４８】
カメラ本体側固定部材１０ａは、撮影レンズ光軸２ａに直交し、カメラ本体１の高さ方向に平行なヒンジ軸１を中心に表示部材９に対して回転可能な状態で保持されており、回転角度αを検出する表示部材開閉方向回動検知手段１０ｃを有している。
【００４９】
表示部材側固定部材１０ｂは、ヒンジ軸１に常に直交するヒンジ軸２を中心に表示部材９に対して回転可能な状態に保持されており、回転角度βを検出する表示部材回転方向回動検知手段１０ｄを有している。
【００５０】
前記回転検出手段１０ｃ、１０ｄはロータリーエンコーダで構成されており、所定の分解能での角度検出が可能な構成を有している。また角度検出に於いては、表示部材９内部に永久磁石を配置し、カメラ本体１に磁気センサを配置し、表示部材９とカメラ本体１との相対位置の変化に合わせて磁気センサの出力が変化するように構成し、磁気センサの出力での角度判定を行う構成としても良い。
【００５１】
次に図１を用いて、表示部材移動モードに於ける表示部材９の回動方向と測距点の移動の関係について説明する。
【００５２】
図１（ａ）は本発明の実施例である撮像装置の背面方向斜視図であり、図１（ｂ）は本発明の実施例である撮像装置の表示部材の回転に合わせた測距点移動方向指示図である。
【００５３】
表示部材９の開閉方向回転角αに対応して、選択測距点の位置が水平方向Ｈに移動するよう構成されている。表示部材９がカメラ本体１に収納される位置に移動するにしたがって選択測距点位置が左から右に移動するように構成されている。また、表示部材９の回転方向回転角βに対応して選択測距点の位置が垂直方向Ｖに移動するように構成されている。表示部材９がカメラ本体１に対して表示部が下方向から上方向を向くように位置に移動するにしたがって選択測距点位置が下から上に移動するように構成されている。この構成により、縦横独立して測距点の移動が可能であり、表示部材９の回動方向と測距点の移動方向が直観的に理解しやすい構成とすることができる。
【００５４】
次に図５および図６を用いて、本発明の実施例である撮像装置の測距点選択から撮影における制御フローを説明する。
【００５５】
図５（ａ）は本発明の実施例である撮像装置の測距点選択から撮影における全体制御フロー図である。
【００５６】
まず、図５（ａ）を用いて全体フローを説明する。
【００５７】
撮像装置の電源が入れられ、撮影を行う為に撮影者がカメラを構えた状態をスタート状態とする。
【００５８】
まず、撮影者によって撮影状態切り替えボタン１３が押下されたか否かを判定する（Ｓ１００）。撮影状態切り替えボタン１３が押下された場合は、ライブビュー撮影状態に遷移し（Ｓ１０９）、押下されていない場合はファインダ撮影状態のままとなる（Ｓ１０１）。
【００５９】
まずは、ファインダ撮影状態Ｓ１０１が選択された場合のフローについて説明を行う。
【００６０】
撮影者によりファインダ撮影状態が選択された後、測距点選択モード切り替えボタン１２の操作により、表示部材移動モードが選択されたか否かを判定する（Ｓ１０２）。表示部材移動モードが選択された場合、回転操作部材１４、方向操作部材１５、タッチ操作部材１６による操作を受け付けないように制御する。
【００６１】
これにより、表示部材９の回動操作による測距点選択を行っている際に、意図せず前記操作受付を禁止する操作部材の入力により測距点が移動することを防ぐことができる。
【００６２】
次に測距点選択開始指示ボタン１１が押下されたか否かを判定する（Ｓ１０４）。押下された場合は後述説明するファインダ撮影状態における於けるサブプロセスフローに入る（Ｓ１０５）。押下されていない場合はＳ１０２に戻る。
【００６３】
Ｓ１０２に於いて、表示部材移動モードが選択されていない場合は、表示部材の回動による測距点選択を無効にする（Ｓ１０６）。
【００６４】
次に測距点選択開始指示ボタン１１が押下されたか否かを判定し（Ｓ１０７）、押下された場合は、回転操作部材１４、方向操作部材１５、タッチ操作部材１６による操作に応じて測距点位置を移動させる。点選択開始指示ボタン１１が押下されていない場合はＳ１０２に戻る。
【００６５】
Ｓ１００に於いて、ライブビュー撮影状態が選択された場合も、前記ファインダ撮影状態と同様の流れで測距点が選択されるが、測距点選択モード判定で表示部材移動モードが選択され（Ｓ１１０）、測距点選択開始指示ボタン１１が押下された（Ｓ１１２）場合、後述説明するライブビュー撮影状態における於けるサブプロセスフローに入る（Ｓ１１３）。
【００６６】
上記説明した各フローを経て測距点が選択された後（Ｓ１１７）、測距判定手段（５、８ａ）で被写体測距が行われ被写体までの距離が算出される（Ｓ１１８）。
【００６７】
得られた距離情報も元にレンズ制御回路２０１により撮影レンズ２０２が駆動され焦点調整が行われた後（Ｓ１１９）、選択した測距点位置での撮影が行われる（Ｓ１２０）。
【００６８】
以上が本発明の実施の形態における撮像装置の測距点選択から撮影における全体制御フローである。
【００６９】
次に、本発明の実施例である撮像装置のファインダ撮影状態に於けるサブプロセス制御フローおよびライブビュー撮影状態に於けるサブプロセスについて説明を行う。
【００７０】
図５（ｂ）は本発明の実施例である撮像装置のファインダ撮影状態に於けるサブプロセス制御フロー図である。図５（ｃ）は本発明の実施例である撮像装置のライブビュー撮影状態に於けるサブプロセス制御フロー図である。
【００７１】
図６（ａ）は本発明の実施例である撮像装置のファインダ撮影状態に於ける、回動可能範囲と測距点追従範囲指示上面方向図である。図６（ｂ）は本発明の実施例である撮像装置のファインダ撮影状態に於ける、回動可能範囲と測距点追従範囲指示側面方向図である。図６（ｃ）は本発明の実施例である撮像装置のライブビュー撮影状態に於ける、回動可能範囲と測距点追従範囲指示上面方向図である。図６（ｄ）は本発明の実施例である撮像装置のライブビュー撮影状態に於ける、回動可能範囲と測距点追従範囲指示側面方向図である。
【００７２】
まず図６（ａ）および図６（ｂ）を用いて、ファインダ撮影状態に於ける表示部材の回動可能範囲と測距点追従可能範囲について説明する。
【００７３】
θ−ａは表示部材９の開閉方向の回動可能範囲であり、本実施の形態ではカメラ本体１収納位置である０°から表示部材９が開き切った状態である１８０°まで回動可能な構成を有している。そのうち表示部材９の回動に追従して測距点位置が移動する測距点追従可能範囲θ−ｂは撮像レンズ光軸２ａに表示部材９が平行になる９０°から１８０°までとする。この構成により撮影者の顔がファインダ部７を覗いて構図確認を行っている際にも表示部材９が撮影者の顔に当たらずに操作することが可能となる。θ−ｃは表示部材９の回転方向の回動可能範囲であり、本実施の形態ではカメラ本体１に対して表示部が下向きになる−９０°から表示部が被写体に対向する向きで撮像レンズ光軸２ａと平行となる状態である１８０°まで回動可能な構成を有している。そのうち表示部材９の回動に追従して測距点位置が移動する測距点追従範囲は−４５°から＋４５°までとする。
【００７４】
この構成により先と同様、撮影者の顔がファイン部７を覗いて構図確認を行っている際にも表示部材９が撮影者の顔に当たらずに操作することが可能となる。
【００７５】
次に図５（ｂ）を用いて、ファインダ撮影状態の測距点選択サブプロセスについて説明する。
【００７６】
ファインダ撮影状態の測距点選択サブプロセスに入った撮像装置はまず、表示部材９の開閉方向回転角度αが測距点選択追従範囲９０°≦α≦１８０°に有るかを判定する（Ｓ２００）。測距点選択追従範囲以外の角度の場合、表示部材９の角度変化による測距点位置移動を行わない（Ｓ２０２）。測距点選択追従範囲以内の角度の場合、開閉角度変化に合わせて選択測距点の水平方向Ｈの位置を移動させる（Ｓ２０１）。
【００７７】
次に表示部材９の回転方向回転角度βが測距点選択追従範囲−４５°≦β≦４５°に有るかを判定する（Ｓ２０３）。測距点選択追従範囲以外の角度の場合、表示部材９の角度変化による測距点位置移動を行わない（Ｓ２０２）。測距点選択追従範囲以内の角度の場合、回転角度変化に合わせて選択測距点の垂直方向Ｖの位置を移動させる（Ｓ２０１）。
【００７８】
次に図６（ｃ）および図６（ｄ）を用いて、ライブビュー撮影状態に於ける表示部材の回動可能範囲と測距点追従可能範囲について説明する。
【００７９】
開閉方向の回動可能範囲θ−ａおよび回転方向の回動可能範囲θ−ｃはファインダ撮影状態と変わらない。測距点追従可能範囲について、開閉方向の測距点追従可能範囲θ−ｅは、１５０°から１８０°とし、回転方向の測距点追従可能範囲θ−ｆは、−１５°から１５°とする。
【００８０】
本構成により、表示部材９に表示された被写体像を見ながら測距点位置を移動させようとした際、測距点移動に要する表示部材９の回転角度を小さく抑えることができる。ファインダ撮影状態と比較し、測距点追従可能範囲を狭く設定し、表示部材９の回転による測距点移動の敏感度を上げることで表示確認を行いながら測距点選択を行いやすい構成とすることが可能になる。
【００８１】
次に図５（ｃ）を用いて、ライブビュー撮影状態の測距点選択サブプロセスについて説明する。
【００８２】
ライブビュー撮影状態の測距点選択サブプロセスに入った撮像装置はまず、表示部材９の開閉方向回転角度αが測距点選択追従範囲１５０°≦α≦１８０°に有るかを判定する（Ｓ２０５）。測距点選択追従範囲以外の角度の場合、表示部材９の角度変化による測距点位置移動を行わない（Ｓ２０７）。測距点選択追従範囲以内の角度の場合、開閉角度変化に合わせて選択測距点の水平方向Ｈの位置を移動させる（Ｓ２０６）。次に表示部材９の回転方向回転角度βが測距点選択追従範囲−１５°≦β≦１５°に有るかを判定する（Ｓ２０８）。測距点選択追従範囲以外の角度の場合、表示部材９の角度変化による測距点位置移動を行わない（Ｓ２０７）。測距点選択追従範囲以内の角度の場合、回転角度変化に合わせて選択測距点の垂直方向Ｖの位置を移動させる（Ｓ２０９）。
【００８３】
以上が本発明の実施の形態における撮像装置の測距点選択から撮影におけるサブプロセス制御フローである。
【００８４】
次に図７を用いて、本発明の実施の形態における表示部材回動角に対応した測距点位置切り替わり角度について説明する。
【００８５】
図７（ａ）は本発明の実施例である撮像装置のファインダ撮影モードに於ける、表示部材回動角に対応した測距点位置切り替わり角度指示図であり、図７（ｂ）は本発明の実施例である撮像装置のライブビュー撮影モードに於ける、表示部材回動角に対応した測距点位置切り替わり角度指示図である。図７（ｃ）は本発明の実施例である撮像装置のファインダ撮影モードに於ける、表示部材回動角に対応した測距点位置切り替わり角度表であり、図７（ｄ）は本発明の実施例である撮像装置のライブビュー撮影モードに於ける、表示部材回動角に対応した測距点位置切り替わり角度表である。
【００８６】
本実施の形態では、測距点数は水平方向に最大７つ、垂直方向に最大５個配列されている。ファインインダ撮影モードに於いては図７（ａ）に示すように、水平方向の測距点選択追従角度のレンジは９０°で有る為、９０を７で割った１２．９°が水平方向の測距枠一枠あたりの角度範囲となる。同様に垂直方向の測距点選択追従角度のレンジは９０°で有る為、９０を５で割った１８°が水平方向の位置切り替わり角度になる。水平／垂直各方向の測距枠の移動の具体的な判定角度条件については、図７（ｃ）の表に示す値で制御されている。具体的に一例を説明すると表示部材９の開閉位置が１８０°以下から１６７．１°以上の範囲にある場合には、測距点は左端から一列目に表示される。ライブビュー撮影モードに於いては図７（ｂ）に示すように、水平方向の測距点選択追従角度のレンジは３０°で有る為、３０を７で割った４．３°が水平方向の位置切り替わり角度になる。同様に垂直方向の測距点選択追従角度のレンジは３０°で有る為、３０を５で割った６．０°が水平方向の位置切り替わり角度になる。
【００８７】
以上説明したように、測距点追従可能範囲を各方向に対応した測距点数で割った角度を測距点位置切り替わり角度として設定することで測距点切り替わり角度を方向毎に均一化することできる為、測距点移動の操作性を向上することができる。
【００８８】
次に図８を用いて、ファインダ撮影モードで表示部材移動モードが選択され、測距点選択開始指示ボタン１１が押下された際の選択測距点位置の制御について説明する。
【００８９】
図８（ａ）は本発明の実施例である撮像装置の表示部材回動角がα＝１８０°β＝０°に於ける測距点選択時のスタート位置状態図であり、図８（ｂ）は本発明の実施例である撮像装置の表示部材回動角α＝１５０°β＝３０°に於ける測距点選択時のスタート位置状態図である。
【００９０】
図８（ａ）の状態に於いては、開閉方向回転角度α＝１８０°の為、水平方向は左端から１列目で且つ、回転方向角度β＝０°の為垂直方向は測距点下端から３列目に選択測距点が位置した状態で測距点選択をスタートする。また図８（ｂ）の状態に於いては、開閉方向回転角度α＝１５０°の為、水平方向は左端から３列目に移動し、且つ回転方向角度β＝３０°の為垂直方向は測測距点下端から５行目に移動した測距点位置に選択測距点が位置した状態で測距点選択をスタートする。
【００９１】
以上説明したように測距点選択開始指示ボタン１１が押下された際の表示部材の回動位置に合わせて選択測距点の初期位置を移動させることで、表示部材移動モードに於ける初期位置設定等の操作が不要となり、表示部材９が如何なる姿勢でも、測距点選択開始ボタン１１押下された際に即座に表示部材を用いての測距点選択を開始することが可能となる為、操作性が良い。また、撮影者は表示部材９の姿勢と測距点位置を対応して記憶することができる為、操作に慣れてくると表示部材の姿勢を見ただけで選択測距点位置について大まかに把握できるようになる為所望の測距点位置に素早く選択測距点を移動することが可能になる。
【００９２】
以上説明してきた構成を採ることで、従来のボタン／ダイヤル操作による測距点選択手段に変わる操作手段を提供し、細かい操作が苦手な人や状況（手袋している、水中）でも素早く簡単に意図した位置に測距点位置を移動することができる撮像装置を提供することができる。
【実施例２】
【００９３】
図９（ａ）および図９（ｂ）を用いて、本発明の第二の実施の形態について説明する。
【００９４】
図９（ａ）は本発明の第二の実施例である撮像装置のファインダ撮影モードに於ける、表示部材回動角に対応した測距点位置切り替わり角度指示図であり、図９（ｂ）は本発明の第二の実施例である撮像装置のライブビュー撮影モードに於ける、表示部材回動角に対応した測距点位置切り替わり角度指示図である。
【００９５】
実施例２に於いては、水平方向Ｈの測距点数と垂直方向Ｖの測距点数を同数とし、且つファインダ撮影モードに於ける、開閉方向の測距点追従角度θ‐ｂ、と回転方向の測距点追従角度θ−ｄのレンジを合わせるよう設定する。同様にライブビュー撮影モードに於ける、開閉方向の測距点追従角度θ‐ｅ、と回転方向の測距点追従角度θ−ｆのレンジを合わせるよう設定する。
【００９６】
そのような構成を用いることで、水平方向Ｈと垂直方向Ｈの測距点移動について選択測距点切り替わり角度を等しくすることが可能になる為、より操作性を向上することが可能になる。
【実施例３】
【００９７】
図９（ｃ）および図９（ｄ）を用いて、本発明の第三の実施の形態について説明する。
【００９８】
図９（ｃ）は本発明の第三の実施例である撮像装置のファインダ撮影モードに於ける、表示部材回動角に対応した測距点位置切り替わり角度指示図であり、図９（ｄ）は本発明の第三の実施例である撮像装置のライブビュー撮影モードに於ける、表示部材回動角に対応した測距点位置切り替わり角度指示図である。
【００９９】
実施例３に於いては、水平方向Ｈと垂直方向Ｖで測距点数が異なる場合に於いて、測距点数が多い方向（ここでは水平方向Ｈ）の切り替わり角度に合わせて他方の測距点追従可能範囲（ここでは垂直方向Ｖ）の角度を変更する。具体的には水平方向の測距点角度追従範囲のレンジが９０°で測距点数が７の場合に測距点切り替わり角度は１２．９°となる。一方垂直方向の測距点数が５の場合に、測距点角度追従範囲のレンジを６４．２°に設定することで測距点切り替わり角度を水平方向と合わせ１２．９°となるように構成する。
【０１００】
そのような構成を用いることで、水平方向Ｈと垂直方向Ｖの測距点移動について選択測距点切り替わり角度を等しくすることが可能になる為、より操作性を向上することが可能になる。
【符号の説明】
【０１０１】
１  カメラ本体、２  撮影レンズ、２ａ  撮影レンズ光軸、３  メインミラー、
４  サブミラー、５  焦点検出センサ、６  ファインダ内表示ユニット、
７  ファインダユニット、８  撮像ユニット、８ａ  撮像面位相差検出手段、
９  表示部材、１０  ヒンジ部材、１０ａ  カメラ本体側固定部材、
１０ｂ  表示部材側固定部材、１０ｃ  表示部材開閉方向回動検知手段、
１０ｄ  表示部材回転方向回動検知手段、１１  測距点選択開始指示ボタン、
１２  測距点選択モード切替ボタン、１３  撮影状態切り替えボタン、
１４  回転操作部材、１５  方向操作部材、１６  タッチ操作部材、
１７  マウント接点、１０１  ＭＰＵ、１０２  本体メモリ、１０３  ミラー駆動回路、
１０４  スイッチセンス回路、１０５  焦点検出回路、１０６  クランプ／ＣＤＳ回路、
１０７  ＡＧＣ、１０８  Ａ／Ｄ変換器、１０９  撮像信号処理回路、
１１０  表示部材駆動回路、α  表示部材の開閉方向回転角度、
β  表示部材の回転方向角度、θ−ａ  表示部材の開閉方向回動可能範囲、
θ−ｂ  表示部材のファインダ撮影状態に於ける開閉方向測距点追従可能範囲、
θ−ｃ  表示部材の回転方向回動可能範囲、
θ−ｄ  表示部材のファインダ撮影状態に於ける回転方向測距点追従可能範囲、
θ−ｅ  表示部材のライブビュー撮影状態に於ける開閉方向測距点追従可能範囲、
θ−ｆ  表示部材のライブビュー撮影状態に於ける回転方向測距点追従可能範囲
【図１】
2017223767.tif 000003
【図２】
2017223767.tif 000004
【図３】
2017223767.tif 000005
【図４】
2017223767.tif 000006
【図５】
2017223767.tif 000007
【図６】
2017223767.tif 000008
【図７】
2017223767.tif 000009
【図８】
2017223767.tif 000010
【図９】
2017223767.tif 000011